【事件の表示】
　特願２００６−１９８６４４「有機電界発光表示装置及びその駆動方法」拒絶査定不服審判事件〔平成１９年１２月１３日出願公開、特開２００７−３２３０３７〕について、次のとおり審決する。
【結　論】
　本件審判の請求は、成り立たない。
【理　由】
１．手続の経緯
　本願は、平成１８年７月２０日の出願（優先権主張：２００６年６月５日、韓国）であって、明細書及び特許請求の範囲について、平成２２年２月３日付けで補正がなされ（以下、「補正１」という。）、同年５月３１日付けで補正がなされ（以下、「補正２」という。）、平成２３年３月１日付けで補正２を決定をもって却下するとともに、同日付け（送達は、同年同月８日）で拒絶査定がなされ、これに対し、同年７月８日に拒絶査定不服審判が請求されると同時に、特許請求の範囲についての補正（以下、「本件補正」という。）がなされたものである。
　
２．補正却下の決定
［結論］
　本件補正を却下する。
［理由］
（１）補正の内容
　本件補正は、特許請求の範囲の請求項１を、次のとおり補正するものである。
　
（本件補正前、すなわち補正１による補正後）
「走査信号が伝達される複数の走査線と、
　デジタルデータ信号が伝達される複数のデータ線と、
　発光制御信号が伝達される複数の発光制御線と、
　電源を供給する複数の電源供給線によって定義される複数の画素を含み、
　前記走査信号は複数のサブフレームごとに伝達されて、前記発光制御信号は複数のサブフレームごとに互いに異なる周波数を持つようにし、
　前記発光制御信号に直接接続されたトランジスタよってスイッチング動作をする有機発光素子を有することを特徴とする有機電界発光表示装置。」
　
（本件補正後）
「走査信号が伝達される複数の走査線と、
　デジタルデータ信号が伝達される複数のデータ線と、
　発光制御信号が伝達される複数の発光制御線と、
　電源を供給する複数の電源供給線によって定義される複数の画素を含み、
　前記走査信号は複数のサブフレームごとに伝達されて、前記発光制御信号は複数のサブフレームごとに互いに異なる周波数を持つように
し、　前記発光制御信号は 0 及び 1 を繰り返すようにして第３のトランジスタのゲートに伝達され、これによって、前記第３のトランジスタは発光制御信号に対応してオンオフ動作を遂行し、前記第３のトランジスタの一端に接続される有機発光素子に伝達される電流の周波数を調節し、前記第３のトランジスタの他端は第１のトランジスタの一端に接続され、前記第１のトランジスタのゲートには第２のトランジスタの一端が接続され、前記第２のトランジスタの他端には前記データ線が接続され、前記第２のトランジスタのゲートには前記走査線が接続され、　前記発光制御信号の周波数は、　前記デジタルデータ信号の最上位ビットに行くほどますます低くなる
　
　この補正は、有機発光素子に関し、本件補正前の
「前記発光制御信号に直接接続されたトランジスタよってスイッチング動作をする有機発光素子」
とあるのを、
「前記発光制御信号は 0 及び 1 を繰り返すようにして第３のトランジスタのゲートに伝達され、これによって、前記第３のトランジスタは発光制御信号に対応してオンオフ動作を遂行し、前記第３のトランジスタの一端に接続される有機発光素子に伝達される電流の周波数を調節し、前記第３のトランジスタの他端は第１のトランジスタの一端に接続され、前記第１のトランジスタのゲートには第２のトランジスタの一端が接続され、前記第２のトランジスタの他端には前記データ線が接続され、前記第２のトランジスタのゲートには前記走査線が接続され、前記発光制御信号の周波数は、前記デジタルデータ信号の最上位ビットに行くほどますます低くなる」
と具体化するものであって、特許請求の範囲の減縮を目的とするものに該当する。
　そこで、本件補正後の請求項１に記載された発明（以下、「本願補正発明」という。）が特許出願の際独立して特許を受けることができるものであるかについて、以下に検討する。
　
（２）刊行物に記載された発明・技術事項
　
　原査定の拒絶の理由に引用され、本願優先日前に頒布された刊行物である特開２００６−８５１４１号公報（発明の名称：画素とこれを持つ発光表示装置及び、その駆動方法、公開日：平成１８年３月３０日、以下、「刊行物１」という。）には、次の事項が図面とともに記載されている。
　
（１−１）
「【００３２】
  図２は、本発明の第１実施形態の発光表示装置を示した図である。
【００３３】
  図２を参照すれば、本発明の第１実施形態の画素とこれを持つ発光表示装置は画像表示部１１０、走査駆動部１２０、データ駆動部１３０、初期化電源供給部１６０及び、周波数供給部１５０を具備する。
【００３４】
  画像表示部１１０は、複数の走査線Ｓ１ないしＳＮと、複数のデータ線Ｄ１ないしＤＭ、複数の画素電源線及び周波数供給線Ｆ１ないしＦＮによって定義される複数の画素１１１を含む。この時、複数の画素には図示しない第２の電源供給部から第１電源と異なる第２電源が供給される。
【００３５】
  画素１１１は、走査線Ｓ１ないしＳＮに走査信号が印加されるとき選択され、データ線ＤＭに供給されるデータ信号、及び周波数供給線Ｆ１ないしＦＮに供給される周波数信号に対応する明るさの光を発生するようになる。具体的に、画素１１１はデジタルデータ信号と周波数信号によって発光される発光素子ＯＬＥＤの明るさを調節して階調を表示することによって望みの画像を表示するようになる。
【００３６】
  走査駆動部１２０は、図示しない制御部からの走査制御信号、すなわち、スタートパルスとクロック信号に応答して走査線Ｓ１ないしＳＮを順次駆動させるための走査信号を発生して走査線Ｓ１ないしＳＮに順次供給する。
【００３７】
  データ駆動部１３０は、制御部から供給されるデータ信号に応答して制御部からのｉ（ｉは正の定数）ビットデジタルデータ信号を、データ線Ｄ１ないしＤｍを介して各画素１１１に供給する。すなわち、データ駆動部１３０は、ｉビットデジタルデータ信号の各ビットデジタルデータ信号をｊ（ｊはｉと同じか大きい正の定数）個のサブフレームごとにデータ線Ｄ１ないしＤｍに供給する。この時、ｉビットデジタルデータ信号のうち、最下位ビットのデジタルデータ信号は第１サブフレームに供給される。
【００３８】
  初期化電源供給部１６０は、画素表示部１１０の画素電源線に第１電源を供給する。周波数供給部１５０は、ｉビットデジタルデータ信号の各ビットに対応されるサブフレームごとに互いに異なる周波数信号を発生して周波数供給線Ｆ１ないしＦＮに供給する。この時、周波数供給部１５０はｉビットデジタルデータ信号のうち、上位ビットに行くほど低
い周波数信号を発生して周波数供給線Ｆ１ないしＦＮに供給する。そして、周波数供給線Ｆ１ないしＦＮに供給される走査数信号は走査線に同期されるように供給する。」
　
（１−２）
「【００５８】
  図７は図２に示された画素を示した回路図である。
【００５９】
  図７を図２に結び付けて説明すると、発光表示装置の各画素１１１は、第１電源ＶＤＤと第２電源ＶＳＳ、発光素子ＯＬＥＤ及び、画素回路１４０を具備する。
【００６０】
  発光素子ＯＬＥＤのアノード電極は、画素回路１４０に接続され、カソード電極は第２電源ＶＳＳに接続される。この時、発光素子ＯＬＥＤは有機発光素子になることもある。
【００６１】
  有機発光素子は、アノード電極とカソード電極の間に形成された有機物の発光層、電子輸送層及び、正孔輸送層と正孔注入層を含む。又、有機発光素子は電子注入層と正孔注入層を追加的に含むことができる。このような、有機発光素子でアノード電極とカソード電極の間で電圧を印加すればカソード電極から発生された電子は電子注入層及び電子輸送層を介して発光層に移動し、アノード電極から発生された正孔は正孔注入層及び正孔輸送層を介して発光層に移動する。これによって、発光層では電子輸送層と正孔輸送層から供給された電子と正孔が衝突して再結合することによって光が発生するようになる。
【００６２】
  画素回路１４０は、第１及び、第２トランジスタＭ１、Ｍ２及びキャパシタＣを具備する。ここで、第２トランジスタＭ２及び第１トランジスタＭ１はＰタイプの金属酸化膜半導体電界効果トランジスタである。一方、画素回路１４０がＰタイプのトランジスタで構成される場合、第２電源ＶＳＳは第１電源ＶＤＤより低いレベルを持ち、グラウンド電圧レベルを持つことができる。
【００６３】
  第１トランジスタＭ１のゲート電極は、走査線Ｓｎに接続され、ソース電極はデータ線Ｄｍに接続されると共にドレイン電極は第１ノードＮ１に接続される。このような第１トランジスタＭ１は走査線Ｓｎに供給される走査信号に応答してデータ線Ｄｍからのデジタルデータの信号を第１ノードＮ１に供給する。
【００６４】
  第２トランジスタＭ２のゲート電極は、第１トランジスタＭ１のドレイン電極とキャパシタＣが共通に接続された第１ノードＮ１に接続され、ソース電極は第１電源ＶＤＤに接続され、ドレイン電極は発光素子ＯＬＥＤのアノード電極に接続される。このような第２トランジスタＭ２は、キャパシタＣから自分のゲート電極に供給される電圧によって画素電源線に供給される第１電源ＶＤＤから発光素子ＯＬＥＤに供給される電流量を調節するようになる。
【００６５】
  キャパシタＣの第１電極は、第１ノードＮ１、すなわち、第２トランジスタＭ２のゲート電極に電気的に接続され、第２電極は周波数信号が供給される周波数供給線ＦＮに電気的に接続される。このようなキャパシタＣは、走査線Ｓｎに走査信号が供給される間、第１トランジスタＭ１を経由して第１ノードＮ１上に供給されるデジタルデータ信号を保存
した後、第１トランジスタＭ１がオフされると周波数供給線ＦＮから供給される周波数信号によって第２トランジスタＭ２をスイッチングさせるようになる。すなわち、キャパシタＣは、走査線Ｓｎに走査信号が供給される間、データ線Ｄｍに供給される信号が“１”のデジタルデータ信号であれば、“１”のデジタルデータ信号に対応する電圧を保存した後、走査信号によって第１トランジスタＭ１をオフさせ、保存された電圧によって第２トランジスタＭ２をオフさせるようになる。反面、キャパシタＣは、走査線Ｓｎに走査信号が供給される間、データ線Ｄｍに供給される信号が“０”のデジタルデータ信号であれば、“０”のデジタルデータ信号に対応する電圧を保存した後、走査信号によって第１トランジスタＭ１をオフさせ、周波数供給線ＦＮから供給される周波数信号によって、第２トランジスタＭ２をスイッチングさせるようになる。これによって発光素子ＯＬＥＤは、キャパシタンスに依存する周波数特性によってスイッチングされる第２トランジスタＭ２から供給される電流量によって発光するようになる。
【００６６】
  図８は図７に示された発光素子の周波数Ｈｚによる輝度Ｃｄ／ｍ２を示したグラフである。
【００６７】
  図８を参照すれば、発光素子ＯＬＥＤに存在するキャパシタンスは、高い周波数Ｈｚはほとんど通過させない反面、低い周波数Ｈｚはそのまま通過させるようになる。これによって、発光素子ＯＬＥＤは入力される周波数Ｈｚが低い場合に、高い輝度Ｃｄ／ｍ２を示す反面、高い周波数Ｈｚの場合には低い輝度Ｃｄ／ｍ２を示す。
【００６８】
  図９は本発明の第１実施形態による発光表示装置の駆動方法を示した波形図である。
【００６９】
  図９を図７に結び付けてみれば、第１実施形態による画素とこれを持つ発光表示装置とその駆動方法は発光素子ＯＬＥＤの明るさを調節して望みの階調を示すために１フレームをｉビットデジタルデータ信号の各ビットに対応され、同一の発光期間を持つｊ個のサブフレームＳＦ１ないしＳＦｊに分割して駆動するようになる。この時、第１ないし第ｊサブフレームＳＦ１ないしＳＦｊは、互いに異なる加重値の明るさに対応する階調を持ち、第１ないし第ｊサブフレームＳＦ１ないしＳＦｊの明るさに対応する階調の比率は２０：２１、２２、２３、２４、…２ｊになる。このような、本発明の第１実施形態による画素とこれを持つ発光表示装置の駆動方法を説明すれば次のようである。
【００７０】
  まず、１フレーム中、第１サブフレームＳＦ１では、各走査線Ｓ１ないしＳＮにロー状態の走査信号ＳＳ１ないしＳＳＮか順次供給されると共に、キャパシタＣの第２電極には各周波数供給線Ｆ１ないしＦＮから第１レベルの電圧が順次供給される。これによって、各走査線Ｓ１ないしＳＮに接続された第１トランジスタＭ１が順次ターンオンされることによって、データ線Ｄ１ないしＤｍに供給されるｉビットの中、第１ビットデジタルデータ信号は、各第１トランジスタＭ１と第１ノードＮ１を経由して各第２トランジスタＭ２のゲート電極に供給される。この時、各キャパシタＣは第１ノードＮ１の第１ビットデジタルデータ信号と第１のレベルの電圧間の差電圧を保存するようになる。
【００７１】
  その後、各走査線Ｓ１ないしＳｎにはハイ状態の走査信号ＳＳ１ないしＳＳＮが順次供給され、各キャパシタＣの第２電極には各周波数供給線Ｆから第１レベルと第２レベルを繰り返す第１周波数信号ＦＳ１が供給される。これによって、各キャパシタＣは第１周波数信号によって第２トランジスタをスイッチングさせる。第２トランジスタＭ２は第１周波数信号ＦＳ１によってスイッチングされることによって、第１電源ＶＤＤからの電流を発光素子ＯＬＥＤに供給する。
【００７２】
  従って、第１サブフレームの間には発光素子は第２トランジスタＭ２のスイッチングによって供給される電流によって発光される。この時、発光素子ＯＬＥＤはキパシタンスが
存在するため、高い周波数はほとんど通過させない反面、低い周波数はそのまま通過させる周波数特性によって第２のランジスタから流入される電流の周波数によって発光される。
【００７３】
  従って、発光素子ＯＬＥＤは第１サブフレームの間第１ビットデジタルデータ信号に対応する電流によって“０”及び、“２０”の階調の中でいずれか一つの階調に対応する明るさで発光するようになる。すなわち、発光素子ＯＬＥＤは第１ビットデジタルデータ信号が“０”の場合、“２０”階調に対応される明るさで発光する反面、“１”の場合は非発光するようになる。
【００７４】
  一方、１フレームの中で第２サブフレームＳＦ２では各走査線Ｓ１ないしＳｎにロー状態の走査信号ＳＳ１ないしＳＳＮが順次供給されると共に、キャパシタＣの第２電極には各周波数供給線からＦ１ないしＦＮから第１レベルの電圧が順次供給される。これによって、各走査線Ｓ１ないしＳｎに接続された第１トランジスタＭ１が順次ターンオンされることにより、データ線Ｄ１ないしＤｍに供給されるｉビットの中で第２ビットデジタルデータ信号は各第１トランジスタＭ１と第１ノードＮ１を経由して各第２トランジスタＭ２のゲート電極に供給される。この時、各キャパシタＣは第１ノードＮ１の第２ビットデジタルデータ信号と第１レベルの電圧間の差電圧を保存するようになる。
【００７５】
  その後、各走査線Ｓ１ないしＳｎにハイ状態の走査信号ＳＳ１ないしＳＳＮが順次供給され、各キャパシタＣの第２電極には各周波数供給線Ｆから第１レベルと第２レベルを繰り返す第１周波数信号より低い第２周波数信号ＦＳ２が供給される。これによって、各々のキャパシタＣは第１周波数信号によって第２トランジスタＭ２をスイッチングさせるようになる。第２トランジスタＭ２は第１周波数信号ＦＳ２によってスイッチングされることにより、第１電源ＶＤＤからの電流を発光素子ＯＬＥＤに供給するようになる。
【００７６】
  従って、第２サブフレームの間、発光素子は第２トランジスタＭ２のスイッチングによって供給される電流によって発光される。この時、発光素子ＯＬＥＤは周波数の特性を利用して第２のトランジスタのスイッチングによって第１電源ＶＤＤから流入される電流の周波数によって発光される。従って、発光素子ＯＬＥＤは第２サブフレームの間、第２ビットデジタルデータ信号に対応する電流によって“０”及び、“２１”の階調の中で何れか一つの階調に対応する明るさで発光するようになる。すなわち、発光素子ＯＬＥＤは第２ビットデジタルデータ信号が“０”の場合、“２１”階調に対応される明るさで発光するが“１”の場合は非発光する。
【００７７】
  同様に、１フレームの中で第３サブフレームＳＦ３での発光素子ＯＬＥＤは上述したように同じ方式で第２周波数信号ＦＳ２より低い第３周波数信号ＦＳ３による第２トランジスタＭ２のスイッチングによって第１電源ＶＤＤから流入される電流の周波数によって発光される。従って、発光素子ＯＬＥＤは第３サブフレームの間、第３ビットデジタルデータ信号に対応する電流によって“０”及び、“２２”の階調の中でいずれか一つの階調に対応する明るさで発光する。すなわち、発光素子ＯＬＥＤは第３ビットデジタルデータ信号が“０”の場合、“２２”階調に対応される明るさで発光するが“１”の場合には非発光するようになる。
【００７８】
  同様に、１フレームの中で第４ないし第ｊサブフレームＳＦ４ないしＳＦｊ各々における発光素子ＯＬＥＤは上述したように同じ方式でどんどん低くなる第４ないし第ｊ周波数信号ＦＳ４ないしＦＳｊによる第２トランジスタＭ２のスイッチングによって第１電源ＶＤＤから流入される電流によって“０”及び、“２３”“２ｉｎ”階調に対応する明るさで発光するようになる。
【００７９】
  このような、本発明の第１実施形態による画素とこれを持つ発光表示装置及び、その駆動方法は発光素子ＯＬＥＤの周波数特性を利用して各サブフレームＳＦ１ないしＳＦｊごとに発光素子ＯＬＥＤの発光による明るさの加重値の合計によって望みの階調を表現することができる。これによって本発明はｉビットデジタルデータ信号の各ビットに対応するサブフレームＳＦ１ないしＳＦｊの発光期間を同一にして十分な階調の表現時間を確保することができる。」
　
　上記記載事項及び図２、７〜９より、刊行物１には、次の発明が記載されているものと認められる。
　
【刊行物１に記載された発明】
「走査信号ＳＳ１ないしＳＳＮ（走査信号に相当。）が伝達される複数の走査線Ｓ１ないしＳＮ（複数の走査線に相当。）と、
　ｉビットデジタルデータ信号（デジタルデータ信号に相当。）が伝達される複数のデータ線Ｄ１ないしＤＭ（複数のデータ線に相当。）と、
　周波数信号ＦＳ（発光制御信号に相当。）が伝達される複数の周波数供給線Ｆ１ないしＦＮ（複数の発光制御線に相当。）と、
　第１電圧VＤＤ（電源に相当。）を供給する複数の電源供給線によって定義される複数の画素１１１（複数の画素に相当。）を含み、
　前記走査信号ＳＳ１ないしＳＳＮ（走査信号に相当。）はｊ個のサブフレームＳＦ１ないしＳＦｊ（複数のサブフレームに相当。）ごとに伝達されて、前記周波数信号ＦＳ（発光制御信号に相当。）はｊ個のサブフレームＳＦ１ないしＳＦｊ（複数のサブフレームに相当。）ごとに互いに異なる周波数を持つようにし、
　前記周波数信号ＦＳ（発光制御信号に相当。）は第１レベル及び第２レベルを繰り返す（ 0 及び 1 を繰り返すに相当。）ようにして第２トランジスタＭ２（第３のトランジスタに対応。）のゲートに伝達され、これによって、前記第２トランジスタＭ２（第３のトランジスタに対応。）は周波数信号ＦＳ（発光制御信号に相当。）に対応してスイッチング（オンオフ動作に相当。）を遂行し、前記第２トランジスタＭ２（第３のトランジスタに対応。）の一端に接続される有機発光素子ＯＬＥＤ（有機発光素子に相当。）に伝達される電流の周波数を調節し、
　　　前記第２トランジスタＭ２（第１のトランジスタに相当。）のゲートには第１トランジスタＭ１（第２のトランジスタに相当。）の一端が接続され、前記第１トランジスタＭ１（第２のトランジスタに相当。）の他端には前記データ線Ｄｍ（データ線に相当。）が接続され、前記第１トランジスタＭ１（第２のトランジスタに相当。）のゲートには前記走査線Ｓｎ（走査線に相当。）が接続され、
　前記周波数信号ＦＳ（発光制御信号に相当。）の周波数は、
　前記ｉビットデジタルデータ信号（デジタルデータ信号に相当。）の上位ビットに行くほどますます低く（最上位ビットに行くほどますます低くに相当。）なることを特徴とする発光表示装置（有機電界発光表示装置に相当。）。」（以下、「刊行物１に記載された発明」という。）
　
（３）対比
　本願補正発明と刊行物１に記載された発明とを対比する。
　
　刊行物１に記載された発明における、「走査信号ＳＳ１ないしＳＳＮ」、「複数の走査線Ｓ１ないしＳＮ」、「ｉビットデジタルデータ信号」、「複数のデータ線Ｄ１ないしＤＭ」、「周波数信号ＦＳ」、「複数の周波数供給線Ｆ１ないしＦＮ」、「第１電圧VＤＤ」、「複数の画素１１１」、「ｊ個のサブフレームＳＦ１ないしＳＦｊ」は、それぞれ、
　本願補正発明における、「走査信号」、「複数の走査線」、「デジタルデータ信号」、「複数のデータ線」、「発光制御信号」、「複数の発光制御線」、「電源」、「複数の画素」、「複数のサブフレーム」に相当する。
　同様に、
　刊行物１に記載された発明における、「第１レベル及び第２レベルを繰り返す」、「スイッチング」、「有機発光素子ＯＬＥＤ」、「第２トランジスタＭ２」、「第１トランジスタＭ１」、「データ線Ｄｍ」、「走査線Ｓｎ」、「上位ビットに行くほどますます低く」、「発光表示装置」は、それぞれ、
　本願補正発明における、「 0 及び 1 を繰り返す」、「オンオフ動作」、「有機発光素子」、「第１のトランジスタ」、「第２のトランジスタ」、「データ線」、「走査線」、「最上位ビットに行くほどますます低く」、「有機電界発光表示装置」に相当する。
　
　してみると、両者の一致点、相違点は、次のとおりである。
　
【一致点】
「走査信号が伝達される複数の走査線と、
　デジタルデータ信号が伝達される複数のデータ線と、
　発光制御信号が伝達される複数の発光制御線と、
　電源を供給する複数の電源供給線によって定義される複数の画素を含み、
　前記走査信号は複数のサブフレームごとに伝達されて、前記発光制御信号は複数のサブフレームごとに互いに異なる周波数を持つようにし、
　前記発光制御信号は 0 及び 1 を繰り返すようにして第３のトランジスタのゲートに伝達され、これによって、前記第３のトランジスタは発光制御信号に対応してオンオフ動作を遂行し、前記第３のトランジスタの一端に接続される有機発光素子に伝達される電流の周波数を調節し、
　　　前記第１のトランジスタのゲートには第２のトランジスタの一端が接続され、前記第２のトランジスタの他端には前記データ線が接続され、前記第２のトランジスタのゲートには前記走査線が接続され、
　前記発光制御信号の周波数は、
　前記デジタルデータ信号の最上位ビットに行くほどますます低くなることを特徴とする有機電界発光表示装置。」
　
【相違点】
　本願補正発明では、
　　第３のトランジスタが、第１のトランジスタと別に設けられ、
　　第３のトランジスタの他端が、第１のトランジスタの一端に接続されているのに対し、
　刊行物１に記載された発明では、
　　第２トランジスタＭ２（第３のトランジスタに対応。）が、第２トランジスタＭ２（第１のトランジスタに相当。）と同じトランジスタとして設けられ、
　　第２トランジスタＭ２（第３のトランジスタに対応。）の他端が、第２トランジスタＭ２（第１のトランジスタに相当。）の一端に接続されていない、すなわち、第２トランジスタＭ２が、それ一つで、本願補正発明の第３のトランジスタと第１のトランジスタの両方の役割を果たしている点。
　 
（４）判断
　上記相違点について検討する。
　
　同じく、原査定の拒絶の理由に引用され、本願優先日前に頒布された刊行物である特開２００５−１５７３４９号公報（発明の名称：発光表示装置及びその駆動方法、公開日：平成１７年６月１６日、以下、「刊行物２」という。）には、次の事項が図面とともに記載されている。
　
（２−１）
「【技術分野】
【０００１】
  本発明は発光表示装置及びその駆動方法に関し、特に有機電界発光（以下、ELと言う）を利用した発光表示装置及びその駆動方法に関する。」
　
（２−２）
「【００２２】
  まず、図１を参照して本発明の第１実施例による発光表示装置について詳しく説明する。図１は本発明の第１実施例による発光表示装置の概略的な平面図である。
【００２３】
  図１に示したように、本発明の第１実施例による発光表示装置は、有機EL表示パネル（以下、表示パネルと言う）１００、データ駆動部２００、走査駆動部３００、発光制御駆動部４００、及びプリチャージ部５００を含む。
【００２４】
  表示パネル１００は縦方向に伸びている複数のデータ線Y１-Yｎ、横方向に伸びている複数の信号線X１-Xｍ、Z１-Zｍ及び複数の画素回路１１０を含む。
【００２５】
  信号線は画素を選択するための第１走査信号を伝達する複数の第１信号線X１-Xｍ及び有機EL素子の発光期間を制御するための第２走査信号を伝達する複数の第２信号線Z１-Zｍを含む。その他にも、プリチャージを行うための制御信号を伝達する信号線をさらに含むことができる。そしてデータ線Y１-Yｎと第１及び第２信号線X１-Xｍ、Z１-Zｍによって定義される画素領域に画素回路１１０が形成されている。
【００２６】
  データ駆動部２００はデータ線Y１-Ynを特定電流レベルでプリチャージした後、データ線Y１-Yｎにデータ電流IＤＡＴＡを印加する。このために、本実施例におけるデータ駆動部２００は、データ電流IＤＡＴＡ生成用の第１電流源と、プリチャージ用の前記特定電流を生成するための付加電流(Npr-１)IＤＡＴＡを生成する第２電流源を含む。データ駆動部２００は後述する画素のプリチャージ動作時にデータ線Y１-Yｎを第１及び第２電流源に連結させてプリチャージ部５００の動作によってデータ線にプリチャージ電流Npr*IＤＡＴＡが流れるようにし、データ記入動作時にはデータ線Y１-Yｎを第１電流源にのみ連結させてデータ線にデータ電流IＤＡＴＡのみが流れるようにする。ここで、データ電流と付加電流は電流ミラー回路などによって生成することができ、このような電流生成過程は当業者に自明な技術であるので詳細な説明を省略する。一方、このようなデータ駆動部２００は外部の制御部（図示せず）から印加される第１制御信号に応じて上述したようにプリチャージ電流Npr*IＤＡＴＡをデータ線に供給し、第２制御信号に応じてデータ電流IＤＡＴＡをデータ線に供給する。
【００２７】
  走査駆動部３００は第１信号線X１-Xｍに画素回路を選択するための第１走査信号を順次に印加する。発光制御駆動部４００は画素回路１１０の発光を制御するための第２走査信号を第２信号線Z１-Zｍに順次に印加する。
【００２８】
  プリチャージ部５００は印加される制御信号によって駆動されてデータ線にプリチャージ電流Npr*IＤＡＴＡが供給されるようにする。
【００２９】
  走査駆動部３００及び発光制御駆動部４００、及び/またはデータ駆動部２００、及び/またはプリチャージ部５００は表示パネル１００に電気的に連結（接続）されることができ、または表示パネル１００に接着されて電気的に連結されているテープキャリアパッケージ（TCP）にチップなどの形態で装着することができる。または表示パネル１００に接着されて電気的に連結（接続）されている可撓性印刷回路（FPC）またはフィルムなどにチップなどの形態で装着することができ、これをCOF（chip on flexible board、chip on film）方式という。これとは異なり、走査駆動部３００及び発光制御駆動部４００、及び/またはデータ駆動部２００、及び/またはプリチャージ部５００は表示パネルのガラス基板上に直接装着することができ、これをCOG（chip on glass）方式という。また、ガラス基板上に信号線、データ線及び薄膜トランジスタと同一層で形成されている駆動回路と代替されることもできる。
【００３０】
  以下、図２及び図３を参照して本発明の第１実施例による発光表示装置の画素回路１１０及びプリチャージ部５００について詳細に説明する。
【００３１】
  図２は本発明の第１実施例による画素回路の回路図である。図２では説明の便宜上、j番目データ線Yjとi番目信号線Xi、Ziに連結された画素回路のみを示した。
図２に示したように、本発明の第１実施例による画素回路１１０は有機EL素子OLED、PchトランジスタT１-T４及びキャパシタCを含む。ここで、トランジスタT１-T４としてはPMOSトランジスタが使用されたが、これに限定されない。このようなトランジスタは表示パネル１００のガラス基板上に形成されるゲート電極、ドレーン電極及びソース電極を各々制御電極及び２つの主電極として有する薄膜トランジスタであるのが好ましい。
【００３２】
  具体的に、トランジスタT１はその三端子が第１信号線Xｉ、データ線Yｊ及びキャパシタCに各々連結され、第１信号線Xｉからの第１走査信号（低電圧）に応答して導通し、データ線Yjからのデータ電流IＤＡＴＡをトランジスタT３のゲートに伝達する。この時、第２信号線Zi は高電圧状態であってトランジスタT４は遮断されており、キャパシタCの充電電流が零になって、データ電流IＤＡＴＡと同じ大きさの電流がトランジスタT３のドレーンに流れるまでトランジスタT３のゲートにデータ電流が伝達される。キャパシタCはトランジスタT３のゲートとソースとの間に連結されており、データ線Yｊからのデータ電流IＤＡＴＡに相当する電圧まで充電される。トランジスタT３ではキャパシタCに充電された電圧によって次の数１のような電流が流れる。
【００３３】
【数１】
　
　ＩＯＬＥＤ＝β（ＶＧＳ−ＶＴＨ）２／２＝ＩＤＡＴＡ　
　
  ここで、VＧＳはトランジスタT３のゲートとソースとの間の電圧、VＴＨはトランジスタT３のしきい電圧、βは定数値を示す。
【００３４】
  トランジスタT４はトランジスタT３と有機EL素子OLEDとの間に連結され、第２信号線Ziからの低レベルの第２走査信号（低電圧）に応答して導通し、トランジスタT３と有機EL素子OLEDを電気的に連結（接続）する。有機EL素子OLEDはトランジスタT４と接地電圧との間に連結されており、トランジスタT４を経て供給される電流に対応して発光する。トランジスタT２は第１信号線Xiからの低レベルの第１走査信号に応答して導通し、印加さ
れるデータ電流IＤＡＴＡをトランジスタT３のドレーンに伝達する。」
　
（２−３）
「【００４４】
  このようなプリチャージ動作の後に、第１信号線に第１走査信号Vselect1（低電圧）が印加され、データ駆動部２００からデータ電流IＤＡＴＡのみが生成されれば、図４（b）に示されているように、第１走査信号Vselect1に応じてトランジスタT１が導通してデータ線Y１-Yｎからのデータ電流IＤＡＴＡに相当する電圧がキャパシタCに充電される。この時、第１走査信号Vselect1に応じてトランジスタT２も導通し、トランジスタT３がダイオード連結される。これによりキャパシタCにトランジスタT３を通って流れるデータ電流IＤＡＴＡに相当する電圧が充電され、トランジスタT１に電流が流れなくなるまでキャパシタCに当該電圧が充電される。特に、データ線Yjに直前プリチャージ動作によってプリチャージ電圧（電流IＤＡＴＡに相当する電圧に近い電圧）が印加されているので、キャパシタCにデータ電流IＤＡＴＡに相当する電圧が急速に充電される。
【００４５】
  その後、充電が完了すればトランジスタT１、T２が遮断され、第２信号線Ziから印加される第２走査信号（Vselect2）に応じてトランジスタT４が導通してトランジスタT４を通ってデータ電流IＤＡＴＡが有機EL素子OLEDに供給され、この電流に対応して有機EL素子OLEDが発光する。
【００４６】
  このように電流プリチャージ後、データ記入動作が行われることによって、データ電流による電圧充電が速かに行われてより正確に階調表現することができる。」
　
　上記記載事項及び図１、２、５より、刊行物２には、次の技術事項が記載されているものと認められる。
　
【刊行物２に記載された技術事項】
「有機EL素子OLEDの発光を制御する、トランジスタT４（第３のトランジスタに相当。）が、トランジスタT３（刊行物１に記載された、第２トランジスタＭ２に対応。）と別に設けられ、
　トランジスタT４（第３のトランジスタに相当。）の他端が、トランジスタT３（刊行物１に記載された、第２トランジスタＭ２に対応。）の一端に接続されている。」（以下、「刊行物２に記載された技術事項」という。）
　
　そして、刊行物１に記載された発明も、刊行物２に記載された技術事項も、共に、有機電界発光表示装置という同じ産業上の利用分野に属するものであり、いずれも、その発光制御に関するものであるから、刊行物１に記載された発明における第２トランジスタＭ２の果たしている二つの役割を、二つのトランジスタに委ねるようにして、上記相違点に係る構成とすることは、当業者ならば容易に想到し得たことである。
　
　すなわち、刊行物１に記載された発明に、刊行物２に記載された技術事項を適用して、
　
　本願補正発明の如く、
「走査信号ＳＳ１ないしＳＳＮ（走査信号に相当。）が伝達される複数の走査線Ｓ１ないしＳＮ（複数の走査線に相当。）と、
　ｉビットデジタルデータ信号（デジタルデータ信号に相当。）が伝達される複数のデータ線Ｄ１ないしＤＭ（複数のデータ線に相当。）と、
　周波数信号ＦＳ（発光制御信号に相当。）が伝達される複数の周波数供給線Ｆ１ないしＦＮ（複数の発光制御線に相当。）と、
　第１電圧VＤＤ（電源に相当。）を供給する複数の電源供給線によって定義される複数の画素１１１（複数の画素に相当。）を含み、
　前記走査信号ＳＳ１ないしＳＳＮ（走査信号に相当。）はｊ個のサブフレームＳＦ１ないしＳＦｊ（複数のサブフレームに相当。）ごとに伝達されて、前記周波数信号ＦＳ（発光制御信号に相当。）はｊ個のサブフレームＳＦ１ないしＳＦｊ（複数のサブフレームに相当。）ごとに互いに異なる周波数を持つようにし、
　前記周波数信号ＦＳ（発光制御信号に相当。）は第１レベル及び第２レベルを繰り返す（ 0 及び 1 を繰り返すに相当。）ようにしてトランジスタT４（第３のトランジスタに相当。）のゲートに伝達され、これによって、前記トランジスタT４（第３のトランジスタに相当。）は周波数信号ＦＳ（発光制御信号に相当。）に対応してスイッチング（オンオフ動作に相当。）を遂行し、前記トランジスタT４（第３のトランジスタに相当。）の一端に接続される有機発光素子ＯＬＥＤ（有機発光素子に相当。）に伝達される電流の周波数を調節し、前記トランジスタT４（第３のトランジスタに相当。）の他端は第２トランジスタＭ２（第１のトランジスタに相当。）の一端に接続され、前記第２トランジスタＭ２（第１のトランジスタに相当。）のゲートには第１トランジスタＭ１（第２のトランジスタに相当。）の一端が接続され、前記第１トランジスタＭ１（第２のトランジスタに相当。）の他端には前記データ線Ｄｍ（データ線に相当。）が接続され、前記第１トランジスタＭ１（第２のトランジスタに相当。）のゲートには前記走査線Ｓｎ（走査線に相当。）が接続され、
　前記周波数信号ＦＳ（発光制御信号に相当。）の周波数は、
　前記ｉビットデジタルデータ信号（デジタルデータ信号に相当。）の上位ビットに行くほどますます低く（最上位ビットに行くほどますます低くに相当。）なることを特徴とする発光表示装置（有機電界発光表示装置に相当。）。」
　
ように構成することは、当業者ならば容易に想到し得たことである。
　
　そして、本願補正発明の作用効果も、刊行物１に記載された発明、及び刊行物２に記載された技術事項から当業者が予測可能なものであって格別のものではない。
　
　したがって、本願補正発明は、刊行物１に記載された発明、及び刊行物２に記載された技術事項に基づいて当業者が容易に発明をすることができたものであるから、同法第２９条第２項の規定により特許出願の際独立して特許を受けることができないものである。
　
（５）むすび
　以上のとおり、本件補正は、平成１８年法律第５５号改正附則第３条第１項によりなお従前の例によるとされる同法による改正前の特許法第１７条の２第５項で準用する同法第１２６条第５項の規定に違反するものであるから、同法第１５９条第１項において読み替えて準用する同法第５３条第１項の規定により却下すべきものである。
　
３．本願発明について
（１）本願発明
　本件補正は上記のとおり却下されたので、本願の請求項１ないし１３に係る発明は、補正１によって補正された明細書、特許請求の範囲及び図面の記載からみて、その特許請求の範囲の請求項１ないし１３に記載された事項により特定されるとおりのものと認められるところ、その請求項１に係る発明は次のとおりである。
　
「走査信号が伝達される複数の走査線と、
　デジタルデータ信号が伝達される複数のデータ線と、
　発光制御信号が伝達される複数の発光制御線と、
　電源を供給する複数の電源供給線によって定義される複数の画素を含み、
　前記走査信号は複数のサブフレームごとに伝達されて、前記発光制御信号は複数のサブフレームごとに互いに異なる周波数を持つようにし、
　前記発光制御信号に直接接続されたトランジスタよってスイッチング動作をする有機発光素子を有することを特徴とする有機電界発光表示装置。」（以下、「本願発明」という。）
　
（２）刊行物に記載された発明・技術事項
　原査定の拒絶の理由に引用された発明や技術事項は、上記「２．（２）刊行物に記載された発明・技術事項」に記載したとおりである。
　　
（３）対比・判断
　本願発明は、前記「２．（１）補正の内容」で検討した本願補正発明における有機発光素子について、
「前記発光制御信号は 0 及び 1 を繰り返すようにして第３のトランジスタのゲートに伝達され、これによって、前記第３のトランジスタは発光制御信号に対応してオンオフ動作を遂行し、前記第３のトランジスタの一端に接続される有機発光素子に伝達される電流の周波数を調節し、前記第３のトランジスタの他端は第１のトランジスタの一端に接続され、前記第１のトランジスタのゲートには第２のトランジスタの一端が接続され、前記第２のトランジスタの他端には前記データ線が接続され、前記第２のトランジスタのゲートには前記走査線が接続され、前記発光制御信号の周波数は、前記デジタルデータ信号の最上位ビットに行くほどますます低くなる」
と具体化していたものを、
「前記発光制御信号に直接接続されたトランジスタよってスイッチング動作をする有機発光素子」
と、上位概念化したものである。
　そうすると、本願発明の発明特定事項をすべて含み、さらに当該発明特定事項の一部を具体化したものに相当する本願補正発明が、前記「２．（３）対比、（４）判断」で説示したとおり刊行物１に記載された発明及び刊行物２に記載された技術事項に基づいて当業者が容易に発明をすることができたものであるから、本願発明も同様の理由により、刊行物１に記載された発明及び刊行物２に記載された技術事項に基づいて当業者が容易に発明をすることができたものである。
　
（４）むすび
　以上のとおり、本願発明（請求項１に係る発明）は、刊行物１に記載された発明及び刊行物２に記載された技術事項に基づいて当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。